(57)【要約】【課題】ＣＣＭ処理業者との間のデータの伝達に際し、当該データの漏洩の不都合を解消し、しかも、ＣＣＭ処理業者において、スピーディーな処理を実現することを可能とするＣＣＭ処理システムの構成を提供すること。【解決手段】ＣＣＭに関する情報の交換及びコンピュータ処理を行うセンターを設置し、当該センターにおいては、各特定の着色を伴う製造業者が備えている複数個の着色剤に関し、計算の根拠となるデータを特定の着色を伴う製造業者以外の第三者はアクセス不可能な状態にて予め備えると共に、ＣＣＭソフトウエアを使用することによって、各特定の着色を伴う製造業者が目標とするカラー着色に基づくネットワークを介した注文に対応して、当該業者が備えている着色剤に関する前記データに基づいてＣＣＭ処理を行うことによって、前記課題を達成し得るＣＣＭ処理システム。【選択図】図１
2007286678.tif 000002
【特許請求の範囲】
【請求項１】
ＣＣＭ（Computer Color Matching）に関する情報の交換及びコンピュータによる計算を行うＣＣＭ処理センターを設置し、当該センターにおいては、各特定の着色を伴う製造業者が備えている複数個の着色剤に関し、計算の根拠となるデータを前記各特定の着色を伴う製造業者以外の第三者はアクセス不可能な状態にて予め備えると共に、前記各特定の着色を伴う製造業者に対応する個別のＣＣＭソフトウエア、又は共通のＣＣＭソフトウエアを使用することによって、前記各特定の着色を伴う製造業者の目標とするカラー着色に関するネットワークを介した注文に対応して、当該業者が備えている着色剤に関する前記データに基づいてＣＣＭ処理を行い、かつ当該処理に基づき、必要な着色剤の配合比率に関する情報をネットワークを介して伝達することに基づくＣＣＭ処理システム。
【請求項２】
各特定の着色を伴う製造業者固有の暗証番号を設定し、各特定の着色を伴う製造業者は特定のカラー表示を伴う注文に際し、当該暗証番号をＣＣＭ処理センターに送信することが要求される一方、ＣＣＭ処理センターにおいては、暗証番号が送信されているか否かの点、更には送信されている場合に、各特定の着色を伴う製造業者に設定されている固有の暗証番号と一致するか否かの点を判断し、一致する場合のみ、前記注文に応じたＣＣＭ処理を行い、暗証番号が送信されない場合、更には、前記一致が成立しない場合には、ＣＣＭ処理を拒絶することを特徴とする請求項１記載のＣＣＭ処理システム。
【請求項３】
各特定の着色を伴う製造業者が備えている着色剤に関するデータ自体を暗証符合化し、ＣＣＭ処理を行う場合には、ソフトウエアによって当該暗証符合化したデータを本来のデータに変換することを特徴とする請求項１記載のＣＣＭ処理システム。
【請求項４】
目標とするカラー着色を得るためのＣＣＭ処理を注文するために、カラー表示画像を直接伝達することを特徴とする請求項１記載のＣＣＭ処理システム。
【請求項５】
ＣＣＭ処理センターが設置したホームページにおいて、表示されている複数個のカラー表示画像のうち、着色を伴う製造業者が選択したことによる当該カラー表示画像に対応する符合を指定してCCM処理センターに伝達することを特徴とする請求項１、２、３、４記載のＣＣＭ処理システム。
【請求項６】
ＣＣＭ処理センターにおいて、不特定の着色を伴う製造業者がアクセスできる着色剤に関するデータを単数又は複数別途供え、当該不特定の着色を伴う製造業者の希望するカラー着色に基づく注文に対応して、当該不特定の着色を伴う製造業者に対応するＣＣＭソフトウエア又は特定の着色を伴う製造業者と共通するＣＣＭソフトウエアを使用して、ＣＣＭ処理を行うことを特徴とする請求項１、２、３、４、５記載のＣＣＭ修理システム。
【請求項７】
ＣＣＭ処理センターにおいて、各特定の着色を伴う製造業者に対応した個別のＣＣＭ処理ソフトウエアを備えている場合において、着色剤に関する各データが、ソフトウエアによる演算の対象となるデータファイルではなく、予めソフトウエアの要素として組み込まれていることを特徴とする請求項１、２、３、４、５、６記載のＣＣＭ処理システム。
【請求項８】
共通のソフトウエアを使用する場合において、特定の着色を伴う製造業者からのカラー表示伝達に基づいて、ソフトウエアが作動している期間中に他の特定の着色を伴う製造業者が特定のカラー表示に基づく情報の伝達が行われた場合に、ＣＣＭ処理センターが備えている他のコンピュータにおいて、ＣＣＭ処理用ソフトウエアが作動中であるが故に、待機すべき旨の情報を当該他の特定の着色を伴う製造業者に伝達することを特徴とする請求項１、２、３、４、５、６記載のＣＣＭ処理システム。
【発明の詳細な説明】
【技術分野】
【０００１】
本発明は、所定のカラー表示にマッチングするように、予め備えてある染料及び顔料などの着色剤（以下、「着色剤」と略称する。）に関するデータに基づいて、当該着色剤の配合に関する配合比率をコンピュータによって算出処理を行うことに基づくＣＣＭ（Computer Color Matching）処理システムに関するものである。
【背景技術】
【０００２】
ＣＣＭ処理は、既に染色業界などの着色を伴う業界において周知の技術である。
【０００３】
即ち、着色剤の製造業者、及び染色業者、捺染業者、印刷業者、塗料業者、化粧品製造業者、着色されたものを取扱う業者などの使用業者において、予め複数の着色剤に関するカラースペクトル分布に基づくデータ、具体的には着色剤のＲ（赤）、Ｇ（緑）、Ｂ（青）系の値、又はＹ（黄）、Ｃ（シアン色）、Ｍ（マゼンタ色）系の値などに関するデータ、更には必要に応じて吸収係数（Ｋ）、散乱係数（Ｓ）及び双方の比率（Ｋ／Ｓ）等に基づくデータ等を備えておき、希望するカラーに基づく着色を行う場合に、コンピュータによって各着色剤が有している前記各データの組合せを行い、如何なる配合比率に基づく組合せが最も目標とする色に適合するかを計算する処理方法であり、従来の着色職人の勘と経験によって、各着色剤の組合せを実現する手法に代えて、客観的で正確な処理を可能とする方法である。
【０００４】
ＣＣＭ処理用のソフトウエア（以下、「ＣＣＭソフトウエア」と略称する。）は既に業界において開発されており、かつ更に改良されつつあるが、全ての着色を伴う製造業者において、当該ソフトウエアを備えている訳ではない。
【０００５】
このような場合、着色を伴う製造業者は、客観的で正確な色合わせを必要とするならば、ＣＣＭソフトウエアを自ら高価な費用負担のうえで導入するか、又はＣＣＭソフトウエアを備えている業者（以下「ＣＣＭ処理業者」と略称する。）に自ら有している着色剤に対する前記各データ及び所望する着色のカラー表示を伝達したうえで、ＣＣＭ処理を外部委託しなければならない。
【０００６】
前記ＣＣＭ処理の依頼に際し、速やかな伝達を実現するために、通常コンピュータネットワーク（以下、「ネットワーク」と略称する。）を介してＣＣＭ処理業者に対し前記データを伝達することが行われ、かつ着色を伴う製造業界において注目されるに至っている。
【０００７】
しかしながら、そのようなネットワークを介したデータの伝達の場合には、必然的にアクシデント又は第三者からの作為によって、当該データが漏洩する危険を免れることができない。
【０００８】
ＣＣＭの分野には、幾多の公知技術文献が存在し、特に特許文献１においては、ネットワークを介したＣＣＭ処理に関する技術内容が開示されているが、前記のようなデータの漏洩に対処するような技術内容は全く開示又は示唆されていない。
【０００９】
【特許文献１】特開２００４−１８９８３５号公報。
【発明の開示】
【発明が解決しようとする課題】
【００１０】
本発明は、従来技術における前記のような漏洩の不都合を解消し、しかも、ＣＣＭ処理業者において、スピーディーな処理を実現することを可能とするＣＣＭ処理システムの構成を提供することを課題としている。
【課題を解決するための手段】
【００１１】
前記課題を解決するため、本発明の基本構成はＣＣＭに関する情報の交換及びコンピュータによる計算を行うＣＣＭ処理センターを設置し、当該センターにおいては、各特定の着色を伴う製造業者が備えている複数個の着色剤に関し、計算の根拠となるデータを前記各特定の着色を伴う製造業者以外の第三者はアクセス不可能な状態にて予め備えると共に、前記各特定の着色を伴う製造業者に対応する個別のＣＣＭソフトウエア、又は共通のＣＣＭソフトウエアを使用することによって、前記各特定の着色を伴う製造業者が個別に希望するカラー着色に基づくネットワークを介した注文に対応して、当該業者が備えている着色剤に関する前記データに基づいてＣＣＭ処理を行い、かつ当該処理に基づき、必要な着色剤の配合比率に関する情報をネットワークを介して伝達することに基づくＣＣＭ処理システムからなる。
【発明の効果】
【００１２】
前記基本構成においては、着色を伴う製造業者は、自ら備えている着色剤に関するデータを第三者に開示することなく、安全な状態にてＣＣＭ処理を行うことができると共に、着色を伴う製造業者は、ＣＣＭ処理センターに対し、目標とするカラー着色につき、カラー表示画像を直接伝達するか、又はＣＣＭ処理センターが備えているカラー表示画像から選択して指定し、ＣＣＭ処理センターからは、ＣＣＭ処理に基づく情報のみならず、当該処理によるカラー表示画像を受け取ることができ、これによって、関係当事者において、その内容の確認をスピーディーに実現することが可能となり、ＣＣＭに関する処理を極めて効率的に行うことができる。
【発明を実施するための最良の形態】
【００１３】
本発明の前記基本構成は、図１（ａ）、（ｂ）に示すように、ＣＣＭ処理センター１と各特定の着色を伴う製造業者２ａ，２ｂ，…，２ｎ（アルファベットは、これらの着色を伴う製造業者が個別に存在している状況を示しており、他のアルファベットの表示もまた２と同様である）とがネットワークを介して相互に情報の伝達を行い、かつ各特定の着色を伴う製造業者２ａ，２ｂ，…，２ｎにおいて備えている着色剤に関するデータ３ａ，３ｂ，…，３ｎを、他の第三者からアクセスできないような状態とすることを基本的特徴点としている。
【００１４】
ＣＣＭ処理センター１としては、常に人が待機した状態による事務処理が必要という訳ではなく、コンピュータサーバにおける自動処理も可能である。
【００１５】
更には、ＣＣＭ処理の結果として表示される着色剤の配合比率は、通常重量比が採用されるが、必要な場合には、容量比（体積比）を採用することも可能である。
【００１６】
第三者においてアクセスできない具体的手法としては、
（１）  各特定の着色を伴う製造業者２ａ，２ｂ，…，２ｎ固有の暗証番号を設定し、各特定の着色を伴う製造業者２ａ，２ｂ，…，２ｎは特定のカラー表示を伴う注文に際し、当該暗証番号をＣＣＭ処理センター１に送信することが要求される一方、ＣＣＭ処理センター１においては、図３のフローチャートに示すように、暗証番号が送信されているか否かの点、更には送信されている場合に、各特定の着色を伴う製造業者２ａ，２ｂ，…，２ｎが設定している固有の暗証番号と一致するか否かの点を判断し、一致する場合のみ、前記注文に応じたＣＣＭ処理を行い、暗証番号が送信されない場合、更には、前記一致が成立しない場合には、ＣＣＭ処理を拒絶する方法、
（２）  各特定の着色を伴う製造業者２ａ，２ｂ，…，２ｎが備えている着色剤に関するデータ３ａ，３ｂ，…，３ｎ自体を暗証符合化し、第三者のアクセスによって前記データが漏洩されるとしても、精々当該暗証符合がアウトプットされ得るに過ぎない状態としたうえで、ＣＣＭ処理を行う場合には、ソフトウエアによって当該暗証符合化したデータを本来のデータに変換する方法、
などが存在する。
【００１７】
各特定の着色を伴う製造業者２ａ，２ｂ，…，２ｎからＣＣＭ処理センター１に対して、目標とするカラー着色を得るためのＣＣＭ処理を注文するために、カラー表示画像をネットワークを介して伝達した場合には、当該伝達されたカラー表示画像に基づいて、直ちにＣＣＭ処理を行うことが可能となる。
【００１８】
同様に、ＣＣＭ処理センター１が設置したホームページにおいて、複数個の各カラー表示画像が表示され、着色を伴う製造業者においては、選択したカラー表示画像に対応する符号をネットワークを介して指定する場合においても、直ちにＣＣＭ処理を行うことが可能となる。
【００１９】
更には、ＣＣＭ処理センター１によってＣＣＭ処理が行われた結果に基づく情報（着色剤の配合比率に基づく組合せに関する情報）が、インターネットを介して、着色を伴う製造業者のコンピュータに伝達されるだけでなく、当該ＣＣＭ処理に基づくカラー表示画像も伝達される場合には、着色を伴う製造業者は、ＣＣＭ処理結果の当否を速やかに確認することが可能となる。
【００２０】
着色を伴う製造業者が目標としたカラー表示とＣＣＭ処理によるカラー表示との間に、色差などが生じた場合には、着色を伴う製造業者においては、ＣＣＭ処理センター１に対し、新たな着色剤に関するデータを伝達することにより、ＣＣＭの再処理を行い、より正確なＣＣＭ処理結果を得ることが可能となる。
【００２１】
前記基本構成のように、各特定の着色を伴う製造業者２ａ，２ｂ，…，２ｎが備えている着色剤に関するデータ３ａ，３ｂ，…，３ｎは、相互に秘密扱いとされているが、本発明においては、図２（ａ）、（ｂ）に示すように、ＣＣＭ処理センター１において不特定の着色を伴う製造業者２ｘ１…２ｘｉがアクセスできる着色剤に関するデータ３ｘ１…３ｘｊを単数又は複数セット備え、当該不特定の着色を伴う製造業者２ｘ１…２ｘｉが目標とするカラー着色に基づく注文に対応して、当該不特定の着色を伴う製造業者２ｘ１…２ｘｉに対応するＣＣＭソフトウエア４、又は各特定の着色を伴う製造業者２ａ，２ｂ，…，２ｎと共通のＣＣＭソフトウエア４を使用してＣＣＭ処理を行い、その結果を伝達することも可能である。
【００２２】
前記実施形態において、データ３ｘ１…３ｘｊが複数セット用意されている場合には、当該不特定の着色を伴う製造業者２ｘ１…２ｘｉはデータ３ｘ１…３ｘｊを選択したうえで、前記注文を行うことになるが、前記実施形態においては、広範な着色を伴う製造業者においてＣＣＭ処理を利用することができる。
【００２３】
前記実施形態においては、既にＣＣＭ処理センター１において着色剤に関するデータを備えている着色を伴う製造業者においても、自らのデータ３ａ，３ｂ，…３ｎに基づくＣＣＭ処理による配合と不特定の着色を伴う製造業者２ｘ１…２ｘｉがアクセスできるデータに基づくＣＣＭ処理の配合結果を対比したうえで、ベターなＣＣＭ処理結果を採用することも可能となる。
【００２４】
更には、自らの着色剤に関するデータを予めＣＣＭ処理センター１に設置している特定の着色を伴う製造業者から、予め他の着色を伴う製造業者の当該データを利用し得ることに関する承諾を得たうえで、前記他の着色を伴う製造業者から所定のカラー表示を伴うＣＣＭ処理の要請が行われた場合、前記承諾が得られた着色を伴う製造業者のデータに基づくＣＣＭ処理の結果と、前記要請を行った着色を伴う製造業者が備えているデータに基づくＣＣＭ処理の結果の双方を伝達した場合には、当該要請を行った着色を伴う製造業者としては、よりベターなＣＣＭ処理結果を採用することが可能となる。
尚、前記承諾が行われた場合、当該承諾を行った特定の着色を伴う製造業者が有しているデータが、第三者によってアクセス可能であるが如き懸念が生ずるが、当該データに基づくＣＣＭ処理の結果を伝達することは、必ずしも当該データ自体を開示することにはならない以上、前記の懸念については十分対処可能である。
【００２５】
以下、実施例に即して説明する。
【実施例１】
【００２６】
実施例１は、各特定の着色を伴う製造業者２ａ，２ｂ，…，２ｎに対応した個別のＣＣＭ処理ソフトウエア４ａ，４ｂ，…，４ｎを備えている場合において、着色剤に関する各データが、ソフトウエアによる演算の対象となるデータファイルではなく、予めソフトウエアの要素として組み込まれていることを特徴としている。
【００２７】
即ち、各特定の着色を伴う製造業者２ａ，２ｂ，…，２ｎごとのデータは、ＣＣＭ処理センター１において通常各特定の着色を伴う製造業者２ａ，２ｂ，…，２ｎに対応したメモリに記録されているが、前記のように、ＣＣＭ処理センター１が各特定の着色を伴う製造業者２ａ，２ｂ，…，２ｎごとにソフトウエア４ａ，４ｂ，…４ｎを備える場合には、前記データをソフトウエア４ａ，４ｂ，…４ｎ中に予め組み込んだうえで演算を推進し、これによってデータファイルとの入出力の時間を省略し、更なるスピーディーなデータ処理を実現することができる。
【００２８】
しかも、前記データ自体は各特定の着色を伴う製造業者２ａ，２ｂ，…，２ｎとＣＣＭ処理センター１との入出力の対象となり得るが、ソフトウエア４ａ，４ｂ，…４ｎ自体は入出力の対象となり得ないことを考慮するならば、ＣＣＭ処理センター１において個別のデータをデータファイルに記録させている場合に比し、第三者がソフトウエアプログラムに組み込まれたデータにアクセスすることは殆ど不可能な状態ということができる。
尚、各特定の着色を伴う製造業者２ａ，２ｂ，…，２ｎに対して共通ソフトウエア４を使用する場合においても、各特定の着色を伴う製造業者２ａ，２ｂ，…，２ｎが有しているデータをそれぞれソフトウエア４に組み込むことも不可能ではないが、その場合には、データの変更ごとに共通のソフトウエア４の内容を変更することが必要であることから、通常そのような構成は実用的ではない。
【実施例２】
【００２９】
実施例２においては、図４のフローチャートに示すように、共通のソフトウエア４を使用する場合において、特定の着色を伴う製造業者からの注文に基づいて、ソフトウエア４が作動している期間中に他の着色を伴う製造業者が特定のカラー表示に基づく情報の伝達が行われた場合に、ＣＣＭ処理センター１が備えている他のコンピュータにおいて、ＣＣＭ処理用ソフトウエア４が作動中であるが故に、待機すべき旨の情報を当該他の特定の着色を伴う製造業者に伝達することを特徴としている。
【００３０】
実施例２においては、複数の着色を伴う製造業者からの注文の競合を排斥し、注文の順序に従ってＣＣＭ処理を順次実行することを可能としている。
【産業上の利用可能性】
【００３１】
本願発明は、各国ごと又は各国の領域内又は各国を超えた国際的な範囲の領域内において、各特定の着色を伴う製造業者とＣＣＭ処理センターとの情報の交換に基づくＣＣＭ処理に利用することができる。
【図面の簡単な説明】
【００３２】
【図１】本発明の基本形態を示すブロック図であり、（ａ）は各特定の着色を伴う製造業者に対応して個別のＣＣＭソフトウエアを備えている場合を示しており、（ｂ）は各特定の着色を伴う製造業者に対し、共通のＣＣＭソフトウエアを備えている場合を示す。
【図２】不特定の着色を伴う製造業者において利用し得る着色剤に関するデータをも備えた実施形態を示すブロック図であり、（ａ）は各特定の着色を伴う製造業者に対応して個別のＣＣＭソフトウエアを備えている場合を示しており、（ｂ）は各特定の着色を伴う製造業者に対し、共通のＣＣＭソフトウエアを備えている場合を示す。
【図３】本発明の基本構成において、暗証番号によって各特定の着色を伴う製造業者の着色剤に関するデータへのアクセスを可能にし、第三者からのアクセスを不可能とすることによる実施形態を示すフローチャートである。
【図４】共通のＣＣＭソフトウエアを使用する場合において、ソフトウエアが作動中に待機信号を発生する実施例に関するフローチャートである。
【符号の説明】
【００３３】
１  ＣＣＭ処理センター
２ａ，２ｂ，…，２ｎ  ＣＣＭ処理センターに対して自ら有している着色剤に関するデータを備え保管している特定の着色を伴う製造業者
２ｘ１…２ｘｉ  不特定の着色を伴う製造業者
３ａ，３ｂ，…，３ｎ  各特定の着色を伴う製造業者が備えている着色に関するデータ
３ｘ１…３ｘｊ  不特定の着色を伴う製造業者が利用し得る単数又は複数の着色に関するデータ
４ａ，４ｂ，…，４ｎ  各特定の着色を伴う製造業者が備えているＣＣＭソフトウエア
４ｘ  不特定の着色を伴う製造業者が使用し得るソフトウエア
４  各特定の着色を伴う製造業者が共通して使用し得るソフトウエア
【図１】
2007286678.tif 000003
【図２】
2007286678.tif 000004
【図３】
2007286678.tif 000005
【図４】
2007286678.tif 000006
【手続補正書】
【提出日】平成18年4月24日(2006.4.24)
【手続補正１】
【補正対象書類名】特許請求の範囲
【補正対象項目名】請求項６
【補正方法】変更
【補正の内容】
【請求項６】
ＣＣＭ処理センターにおいて、不特定の着色を伴う製造業者がアクセスできる着色剤に関するデータを単数又は複数別途供え、当該不特定の着色を伴う製造業者の希望するカラー着色に基づく注文に対応して、当該不特定の着色を伴う製造業者に対応するＣＣＭソフトウエア又は特定の着色を伴う製造業者と共通するＣＣＭソフトウエアを使用して、ＣＣＭ処理を行うことを特徴とする請求項１、２、３、４、５記載のＣＣＭ処理システム。
【手続補正２】
【補正対象書類名】明細書
【補正対象項目名】００２１
【補正方法】変更
【補正の内容】
【００２１】
前記基本構成のように、各特定の着色を伴う製造業者２ａ，２ｂ，…，２ｎが備えている着色剤に関するデータ３ａ，３ｂ，…，３ｎは、相互に秘密扱いとされているが、本発明においては、図２（ａ）、（ｂ）に示すように、ＣＣＭ処理センター１において不特定の着色を伴う製造業者２ｘ１…２ｘｉがアクセスできる着色剤に関するデータ３ｘ１…３ｘｊを単数又は複数セット備え、当該不特定の着色を伴う製造業者２ｘ１…２ｘｉが目標とするカラー着色に基づく注文に対応して、当該不特定の着色を伴う製造業者２ｘ１…２ｘｉに対応するＣＣＭソフトウエア４ｘ、又は各特定の着色を伴う製造業者２ａ，２ｂ，…，２ｎと共通のＣＣＭソフトウエア４を使用してＣＣＭ処理を行い、その結果を伝達することも可能である。